(57)【要約】【課題】リアフォーカスズームレンズでのフォーカスプリセット機能を実現できるズームレンズシステム及びそれを用いた撮影装置を提供する。【解決手段】リアフォーカスズームレンズにおいて、変倍を行う第１の移動レンズ群１０１と、焦点調節およびズーミングの際のコンペンセータを兼ねる第２の移動レンズ群１０４の位置を検出し、レンズ駆動手段８，９を駆動制御する制御回路７と、所定被写体距離の記憶及びその位置までの移動制御を行うフォーカスプリセット手段１５，１６とを備え、制御回路は、第１の移動レンズ群の移動にあわせて第２の移動レンズ群を合焦状態のままコンペンセートさせるための位置の対応関係を示す各被写体距離に対応する複数の軌跡情報を記憶する。フォーカスプリセット手段の記憶情報は、複数の軌跡の識別が可能な軌跡識別情報及び２つの軌跡間の内分比とすることで、ズーム全域でフォーカスプリセット記憶被写体距離を保持する。【選択図】図７
2006064842.tif 000002
【特許請求の範囲】
【請求項１】
光軸上を移動する移動レンズ群を含む光学系によるズームレンズシステムにおいて、
変倍を行う第１の移動レンズ群と、焦点調節およびズーミングの際のコンペンセータを兼ねる第２の移動レンズ群とを含む光学系と、
該第１及び第２の移動レンズ群の位置を検出する位置検出手段、
該第１及び第２の移動レンズ群を駆動させるレンズ駆動手段と、
位置検出の結果に基づき、レンズを駆動制御する制御手段と、
所定被写体距離の記憶及びその位置までの移動制御を行うフォーカスプリセット手段とを備え、
該制御手段は、前記第１の移動レンズ群の移動にあわせて前記第２の移動レンズ群を合焦状態のままコンペンセートさせるための、前記第１の移動レンズ群と第２の移動レンズ群との位置の対応関係を示す軌跡情報を記憶した記憶手段を有し、
前記フォーカスプリセット手段の記憶情報は、該軌跡情報に基づき設定されることを特徴とするズームレンズシステム。
【請求項２】
前記記憶手段の有する軌跡情報は各被写体距離に対応する複数の軌跡からなり、前記フォーカスプリセットの記憶情報は前記複数の軌跡の識別が可能な軌跡識別情報及び２つの軌跡間の内分比であることを特徴とする請求項１に記載のズームレンズシステム。
【請求項３】
前記光学系は、前記第２の移動レンズ群が焦点側後部にあるリアフォーカスタイプであることを特徴とする請求項１又は２に記載のズームレンズシステム。
【請求項４】
前記フォーカスプリセット手段は、フォーカスプリセットが記憶され、焦点調節が行われないままマニュアルフォーカスモードでワイド側にズーミングされて再度フォーカスプリセットの記憶操作が行われた場合は、前記フォーカスプリセットの記憶情報の更新を行わないことを特徴とする請求項１〜３のいずれかに記載のズームレンズシステム。
【請求項５】
請求項１〜４のいずれかに記載のズームレンズシステムを備え、
その焦点面上に形成された像を撮影する撮影装置。
【発明の詳細な説明】
【技術分野】
【０００１】
本発明は、任意の距離にフォーカスをプリセットする機能を有するカメラ用ズームレンズシステム及びそれを用いた撮影装置に関する。
【背景技術】
【０００２】
近年、オートフォーカス機能とズームレンズを備えたカメラが普及している。図８は、従来例であるズームレンズを備えたデジタルカメラのブロック図である。
【０００３】
１は光学系であり、４つのレンズ群より成る４群構成のリアフォーカスズームレンズ（以下“ＲＦＺレンズ”と称する）より成っている。ＲＦＺレンズ１は固定レンズ群である第１のレンズ群（以下“前玉”と称する）１０１、移動レンズ群である変倍機能を有する第２のレンズ群（以下“ズーミングレンズ”と称する）１０２、固定レンズ群である第３のレンズ群（以下“アフォーカル”と称す）１０３、そして移動レンズ群であるフォーカス機能と、変倍に伴う結像面変動を補正するコンペンセータとしての機能を有する第４のレンズ群（以下“フォーカスレンズ”と称する）１０４より成っている。
【０００４】
実際には、上記各レンズ群は複数枚のレンズで構成されているが、各レンズ群の構成枚数については、特に限定するものではない。
【０００５】
２はＣＣＤ等の光電変換素子、３は光電変換素子２に入射する光量を調節するための絞り部材、４は絞り駆動手段で光電変換素子２に入射する光量が一定になるように絞り部材３を制御回路７によって制御する。５は絞り及びレンズ位置検出手段、６は絞り及びレンズ位置検出手段５の出力を検出し、制御回路７に出力する検出回路である。
【０００６】
８，９は移動レンズ群１０２，１０４を駆動するためのステップモータ等のレンズ駆動手段、１０，１１はレンズ駆動手段８，９を駆動させるためのモータドライバである。制御回路７は、絞り及びレンズ位置検出手段５からの移動レンズ群１０２，１０４の位置検出信号に基づき、レンズ駆動手段８，９を駆動制御する。
【０００７】
１２は光電変換素子２の出力を増幅させるアンプ、１３は信号をＮＴＳＣ映像信号等の信号に変換し及びオートフォーカス（ＡＦ）させるためのＡＦ信号を生成するプロセス回路、１４はプロセス回路からのＡＦ信号によりＡＦ動作させるＡＦ手段である。尚、ＡＦ方法においては山登り式などが提案されており、公知となっているためここでは詳細な説明は省略する（例えば、特許文献１参照）。
【０００８】
図３は、ズーム位置におけるコンペンセートするためのフォーカスレンズの位置情報で、あらかじめ制御回路に持ち、ズーミングに伴い、これらの軌跡情報からズーミングレンズに対するフォーカスレンズの位置を求め、合焦を保持したままズーミングを行うものである。
【０００９】
図９は、前玉フォーカス方式によるズームレンズのフォーカスプリセット機能のフローを記したものである。記憶操作が行われた場合は操作が行われたときのフォーカス位置を記憶し、実行操作が行われた場合は、記憶位置と比較し、記憶位置になるようにフォーカスを駆動させるものである。記憶操作の有無を判定し（Ｓ９０１）、有る場合は現在のフォーカス位置を記憶し（Ｓ９０２）、次のステップに進む。記憶操作が無い場合はＳ９０３に進み、実行操作の有無を判定する、実行操作がある場合は記憶情報の有無を判定し（Ｓ９０４）、有る場合は現在のフォーカス位置が記憶位置になっているかどうかを比較し（Ｓ９０５）、記憶位置で無い場合はフォーカスレンズの駆動方向を判定し（Ｓ９０６）、駆動を行い（Ｓ９０７）、Ｓ９０５に戻り、記憶位置になるまで駆動を行う。Ｓ９０４において記憶位置が無い場合はＳ９０１に戻る。フォーカスプリセットの記憶位置はズームの位置の変化によって変更されるものではない。
【００１０】
ところで、近年カメラ等の撮像装置はレンズの高付加価値化、高機能化の競争が激しく、また、撮影の幅を広げるための機能として所定操作により所定の記憶位置までフォーカスを行うフォーカスプリセット機能の搭載が強く望まれている。また、小型化やＡＦの性能に優れたものの要求が高まり、そのためのリアフォーカスタイプのレンズ構成となることは光学機器として欠くことのできないものとなりつつある。
【特許文献１】特開昭６２−１０３６１６号公報
【発明の開示】
【発明が解決しようとする課題】
【００１１】
しかしながら、従来例のリアフォーカスレンズにおいてこれらの機能を搭載するには前述したようにズーム位置によって合焦を維持する為のフォーカスレンズ位置が異なる為、従来のようにフォーカス位置をただ記憶しただけでは、ズーミングを行うと記憶した被写体距離位置がずれてしまう。そのため、リアフォーカスレンズ構成ではズーミング動作に伴いフォーカスプリセットの記憶が無くなるに等しく、仮に記憶させたとしてもズーミング操作により解除せざるを得ないなど制約が発生し、事実上リアフォーカスレンズでのフォーカスプリセット機能は実現できない。そのため、製品の機能として搭載することができず、極めて大きな問題となっている。
【００１２】
そこで本発明は、リアフォーカス構成でフォーカスレンズが焦点調節及びコンペンセート機能を持つ構成においても、フォーカスプリセットの記憶被写体位置をズーム全域に渡り保持させることができるズームレンズシステム及びそれを用いた撮影装置を提供することを目的とする。
【課題を解決するための手段】
【００１３】
上述の課題を解決するため、本発明は、光軸上を移動する移動レンズ群を含むリアフォーカスタイプ光学系によるズームレンズシステムにおいて、変倍を行う第１の移動レンズ群と、焦点調節およびズーミングの際のコンペンセータを兼ねる第２の移動レンズ群とを含む光学系と、該第１及び第２の移動レンズ群の位置を検出する位置検出手段、該第１及び第２の移動レンズ群を駆動させるレンズ駆動手段と、位置検出の結果に基づき、レンズを駆動制御する制御手段と、所定被写体距離の記憶及びその位置までの移動制御を行うフォーカスプリセット手段とを備え、該制御手段は、前記第１の移動レンズ群の移動にあわせて前記第２の移動レンズ群を合焦状態のままコンペンセートさせるための、前記第１の移動レンズ群と第２の移動レンズ群との位置の対応関係を示す軌跡情報を記憶した記憶手段を有し、前記フォーカスプリセット手段の記憶情報は、該軌跡情報に基づき設定され、前記記憶手段の有する軌跡情報は各被写体距離に対応する複数の軌跡からなり、前記フォーカスプリセットの記憶情報は前記複数の軌跡の識別が可能な軌跡識別情報及び２つの軌跡間の内分比であることを特徴とする。
【００１４】
以上の構成によって、フォーカスプリセットの記憶情報は該複数の軌跡の識別が可能な軌跡識別情報及び内分比とすることで、ズーム全域でフォーカスプリセット記憶被写体距離を保持することができる。
【発明の効果】
【００１５】
本発明によれば、リアフォーカスズーム構成であるが故に製品に搭載ができなかったフォーカスプリセット機能を盛込むことが出来、新たな撮影表現の提供、市場の開拓を実現できるようになるズームレンズシステム及びそれを用いた撮影装置、例えば、ズームレンズ一体型カメラやレンズ交換可能なカメラ用の交換ズームレンズシステムを提供できる。
【発明を実施するための最良の形態】
【００１６】
次に、本発明の最良の形態について図面を参照して説明する。
【実施例】
【００１７】
図１は、本実施例の構成を示すブロック図である。１は光学系であり、４つのレンズ群より成る４群構成のリアフォーカス・ズームレンズ（ＲＦＺレンズ）より成っている。ＲＦＺレンズ１は固定レンズ群である第１のレンズ群前玉１０１、変倍機能を有する移動レンズ群である第２のレンズ群ズーミングレンズ１０２、固定レンズ群である第３のレンズ群アフォーカル１０３、そしてフォーカス機能と、変倍に伴う結像面変動を補正するコンペンセータとしての機能を有する移動レンズ群である第４のレンズ群フォーカスレンズ１０４より成っている。
【００１８】
実際には、上記各レンズ群は複数枚のレンズで構成されているが、各レンズ群の構成枚数については、特に限定するものではない。
【００１９】
２はＣＣＤ等の光電変換素子、３は光電変換素子２に入射する光量を調節するための絞り部材、４は絞り駆動手段で光電変換素子２に入射する光量が一定になるように絞り部材３を制御回路７によって制御する。５は絞り及びレンズ位置検出手段、６は絞り及びレンズ位置検出手段５の出力を検出し、制御回路７に出力する検出回路である。
【００２０】
８，９は移動レンズ群１０２，１０４を駆動するためのステップモータ等のレンズ駆動手段、１０，１１はレンズ駆動手段８，９を駆動させるためのモータドライバである。制御回路７は、絞り及びレンズ位置検出手段５からの移動レンズ群１０２，１０４の位置検出信号に基づき、レンズ駆動手段８，９を駆動制御する。
【００２１】
１２は光電変換素子２の出力を増幅させるアンプ、１３は信号をＮＴＳＣ映像信号等の信号に変換し及びＡＦさせるためのＡＦ信号を生成するプロセス回路、１４はプロセス回路からのＡＦ信号によりＡＦ動作させるＡＦ手段である。
【００２２】
１５はプリセット記憶スイッチ、１６はプリセット実行スイッチで、フォーカスプリセットの記憶、実行を行う。プリセット記憶スイッチ１５が操作されたときのフォーカスの被写体距離位置を制御回路７にある記憶手段（メモリ）に記憶し、プリセット実行スイッチ１６の操作により現在のフォーカス位置と比較し、異なっていたら記憶位置までフォーカスを行わせるプリセット機能を行うものである。
【００２３】
図２は、プリセット機能の記憶、実行の概略フローを示す。記憶操作手段１５の操作を検出し（Ｓ２０１）、操作が検出されたら現在の被写体距離を制御回路７にある記憶手段に記憶する（Ｓ２０２）。実行操作手段１６の操作が行われているかどうかを判定し（Ｓ２０３）、実行されていなければ戻り、実行操作がある場合は記憶情報の有無を判定し（Ｓ２０４）、有る場合は現在のフォーカス位置が被写体距離位置になっているかどうかを比較し（Ｓ２０５）、被写体距離位置で無い場合はフォーカスレンズの駆動方向を判定し（Ｓ２０６）、駆動を行い（Ｓ２０７）、Ｓ２０５に戻り、被写体距離位置になるまで駆動を行う。Ｓ２０４において記憶位置が無い場合は、Ｓ２０１に戻る。
【００２４】
上記図１に示す構成のインナーフォーカスタイプ・レンズシステムにおいて変倍動作を行うと、各焦点距離における被写体距離別のフォーカスレンズ１０４の合焦位置は図３のようになる。すなわち、合焦を保ちながら変倍動作を行おうとする場合、制御回路７内に図３の軌跡情報を何らかの形（軌跡そのものでもまたはレンズ位置を変数とした関数でも良い）で記憶しておき、ズーミングレンズ１０２の位置に応じて軌跡情報を読み出し、その情報に基づいてフォーカスレンズ１０４を移動させる必要がある。
【００２５】
図４は、本発明における軌跡追従動作の一例を説明するための図である。ａ０、ａ１、ａ２、・・・・・・ａ１１およびｂ０、ｂ１、ｂ２、・・・・・・ｂ１１は、それぞれ制御回路７内に記憶している代表軌跡である。また、ｃ０、ｃ１、ｃ２、・・・・・・ｃ１１は、上記２つの代表軌跡をもとに下記の式により算出された軌跡である。
【００２６】
ｃ（ｎ＋１）＝｜ｃ（ｎ）−ａ（ｎ）｜／｜ｂ（ｎ）−ａ（ｎ）｜
×｜ｂ（ｎ＋１）−ａ（ｎ＋１）｜＋ａ（ｎ＋１）              ・・・・・・（１）
【００２７】
この（１）式によれば、例えば図４において、フォーカスレンズ１０４がｃ０にある場合、ｃ０が線分ｂ０−ａ０を内分する比を求め、この比に従って線分ｂ１−ａ１を内分する点をｃ１としている。
【００２８】
例えば、内分する比の計算としては以下のようになる。
α：内分比分子
β：内分比分母
α＝ｃ０−ａ０
β＝ｂ０−ａ０
ｃ１＝ａ１+（ｂ１−ａ１）×（α／β）
となり、ｃ０の被写体距離位置を合焦したままズーミングさせたフォーカスレンズの位置がｃ１になる。
【００２９】
図５は、被写体距離別の記憶軌跡の本数が８本（図中軌跡番号０〜７）の場合の例を示す。現在のフォーカス位置は図中のＦｐｏｓ、ズーム位置はＺｐｏｓである。この位置でフォーカスプリセット記憶操作が行われた場合はコンペに使用する軌跡と、前述した内分比を記憶させることでフォーカスプリセットの記憶被写体距離位置とするものである。
【００３０】
以下例を示す。現在のズーム位置が前述した記憶軌跡データをもつズーム位置上であれば、前述した計算により内分比を求めることができるが、ここではズーム位置Ｚｐｏｓは軌跡の記憶データが現在のズーム位置Ｚｐｏｓ上でなく、記憶軌跡データを持つズーム位置Ｚｐｏｓ０とＺｐｏｓ１の間にいる例とする。
【００３１】
現在のズーム位置における内分比を求める為に以下の計算を行う。現在のズーム位置における遠距離側軌跡位置ＦｐｏｓＡ及び現在のズーム位置における近距離側軌跡位置ＦｐｏｓＢは記憶軌跡データから近似的に求めるが、ここでは直線近似させて求める計算例を記す。なお、数値としてはズームのテレ側の方が大きく、ワイド側のほうが小さい。また、フォーカスは至近側が大きく無限側が小さいものとしている。
【００３２】
Ｚｐｏｓ：現在のズーム位置
Ｆｐｏｓ：現在のフォーカス位置
ＦｐｏｓＡ：現在のズーム位置における遠距離側軌跡位置
ＦｐｏｓＢ：現在のズーム位置における近距離側軌跡位置
Ｚｐｏｓ０：記憶軌跡データのあるテレ側ズーム位置
Ｚｐｏｓ１：記憶軌跡データのあるワイド側ズーム位置
ＦｐｏｓＡ０：Ｚｐｏｓ０における遠距離側記憶軌跡位置
ＦｐｏｓＡ１：Ｚｐｏｓ１における遠距離側記憶軌跡位置
ＦｐｏｓＢ０：Ｚｐｏｓ０における近距離側記憶軌跡位置
ＦｐｏｓＢ１：Ｚｐｏｓ１における近距離側記憶軌跡位置
α：内分比分子
β：内分比分母
ＦｐｏｓＡ＝ＦｐｏｓＡ０+（ＦｐｏｓＡ１−ＦｐｏｓＡ０）×
（Ｚｐｏｓ−Ｚｐｏｓ１）／（Ｚｐｏｓ０−Ｚｐｏｓ１）
ＦｐｏｓＢ＝ＦｐｏｓＢ０+（ＦｐｏｓＢ１−ＦｐｏｓＢ０）×
（Ｚｐｏｓ−Ｚｐｏｓ１）／（Ｚｐｏｓ０−Ｚｐｏｓ１）
α＝Ｆｐｏｓ−ＦｐｏｓＡ
β＝ＦｐｏｓＢ−ＦｐｏｓＡ
【００３３】
計算の際に用いる軌跡番号は現在のフォーカス位置及びズーム位置から使用する軌跡の選択番号で、例えば上記の例であれば１番と２番を使用している。この場合記憶データとしては内分比だけでなく、計算に使用する記憶軌跡のどれを選択、使用するかを識別する為の情報も必要となる。前述の例では軌跡の１番または２番を使用していることから、記憶データとしては１番と２番を使用することが判別できる情報であれば良い。例えば、記憶データとしては「１番と２番」としたり、また、「１番」だけ記憶とすることで、計算する際にはあらかじめ「１番」と「２番」を使用すると設定、ということが識別できれば記憶する軌跡データとしては特に制約するものではない。
【００３４】
ＴｒａｃｋＤａｔａ：軌跡番号データとして、以下は記憶データ例である。
ＴｒａｃｋＤａｔａ＝１
α＝１００
β＝３００
これらのデータをプリセットの記憶操作が行われた際にメモリーに記憶するものである。
【００３５】
次に、プリセット記憶が行われた後、記憶操作時のズーム位置及びフォーカス位置が変わっている場合にプリセットの実行操作を行う例を図６に示す。現在のズーム位置及び、フォーカスプリセットの記憶操作により記憶している軌跡番号及び内分比分子α、内分比分母βから求められる。以下の計算による。
【００３６】
Ｚｐｏｓ：現在のズーム位置
ＦｐｏｓＴａｒｇｅｔ：プリセットフォーカス位置
ＦｐｏｓＴａｒｇｅｔＡ：現在のズーム位置における記憶軌跡番号から得る遠距離側軌跡位置
ＦｐｏｓＴａｒｇｅｔＢ：現在のズーム位置における記憶軌跡番号から得る近距離側軌跡位置
Ｚｐｏｓ０：記憶軌跡データのあるテレ側ズーム位置
Ｚｐｏｓ１：記憶軌跡データのあるワイド側ズーム位置
ＦｐｏｓＴａｒｇｅｔＡ０：Ｚｐｏｓ０における遠距離側記憶軌跡番号から得る記憶軌跡位置
ＦｐｏｓＴａｒｇｅｔＡ１：Ｚｐｏｓ１における遠距離側記憶軌跡番号から得る記憶軌跡位置
ＦｐｏｓＴａｒｇｅｔＢ０：Ｚｐｏｓ０における近距離側記憶軌跡番号から得る記憶軌跡位置
ＦｐｏｓＴａｒｇｅｔＢ１：Ｚｐｏｓ１における近距離側記憶軌跡番号から得る記憶軌跡位置
α：内分比分子
β：内分比分母
ＦｐｏｓＴａｒｇｅｔＡ＝ＦｐｏｓＴａｒｇｅｔＡ０+（ＦｐｏｓＴａｒｇｅｔＡ１−ＦｐｏｓＴａｒｇｅｔＡ０）×（Ｚｐｏｓ−Ｚｐｏｓ１）／（Ｚｐｏｓ０−Ｚｐｏｓ１）
ＦｐｏｓＴａｒｇｅｔＢ＝ＦｐｏｓＴａｒｇｅｔＢ０+（ＦｐｏｓＴａｒｇｅｔＢ１−ＦｐｏｓＴａｒｇｅｔＢ０）×（Ｚｐｏｓ−Ｚｐｏｓ１）／（Ｚｐｏｓ０−Ｚｐｏｓ１）
ＦｐｏｓＴａｒｇｅｔ＝ＦｐｏｓＴａｒｇｅｔＢ+
（ＦｐｏｓＴａｒｇｅｔＡ−ＦｐｏｓＴａｒｇｅｔＢ）×（α／β）
【００３７】
プリセット実行が行われると、現在のフォーカス位置からＦｐｏｓＴａｒｇｅｔまで駆動を行えば良い。すると、記憶した際の被写体距離位置をズーム位置が変更されても再現することができるようになる。
【００３８】
次に図７にフローを示す。フォーカスプリセットの記憶操作の有無を判定し（Ｓ７０１）、操作が行われていれば現在のフォーカス、ズーム位置から軌跡番号、内分比を記憶し（Ｓ７０２）、次のステップに進む。Ｓ７０１において記憶操作が無ければＳ７０３に進む。実効操作の有無を判定し（Ｓ７０３）、操作があれば記憶情報の有無を判定し（Ｓ７０４）、有る場合はズーム位置と記憶情報からプリセット位置を計算し（Ｓ７０５）、現在のフォーカス位置がプリセット位置になっているかどうかを比較し（Ｓ７０６）、プリセット位置で無い場合はフォーカスレンズの駆動を行い（Ｓ７０７）、Ｓ７０６に戻り、プリセット位置になるまで駆動を行う。Ｓ７０４において記憶位置が無い場合は、Ｓ７０１に戻る。
【００３９】
以上説明したようにフォーカスプリセット位置はズームの位置の変化によって変更されるが、被写体距離位置を保つようにプリセットの記憶情報として選択軌跡番号及び内分比率とすることで、ズーム全域においてリアフォーカスレンズ構成でもフォーカスプリセットの機能を有効にすることを実現させるものである。
【００４０】
また、リアフォーカスレンズの軌跡から分かるようにワイドでは軌跡が集中するのに対し、テレ側になると分散することがわかる。このことから課題として以下の問題がある。
【００４１】
図６のようにズーム位置Ａにおいてフォーカスプリセットの記憶を行い、その後、焦点調節を行わずにマニュアルフォーカスモードでズームをワイド方向に駆動してズーム位置Ｂにする。そして再度フォーカスプリセットの記憶操作を行い、そしてまたもとのズーム位置Ａへ戻してプリセットの実行を行うと記憶した位置がずれる問題がある。
【００４２】
これはワイド側ズーム位置Ｂでは被写体距離の分解能がズーム位置Ａよりも粗くなってしまうためで、例えば内分比α、βがそれぞれズーム位置Ａは１１５、３００のものがワイド側ズーム位置Ｂにしてプリセット記憶を改めて行ってしまうと１、３となってしまうため、もとのズーム位置に戻したときには１、３の内分比率から計算を行うようになる為、β３００に対する１１５に対し、αは１：３から１００相当の被写体距離位置をプリセット位置と計算してしまう為、１１５と１００の差が記憶した被写体位置の差としてあらわれてしまうためである。
【００４３】
そこで、フォーカスプリセットが記憶され、焦点調節が行われないままマニュアルフォーカスモードでワイド側にズーミングされて再度フォーカスプリセットの記憶操作が行われた場合は、フォーカスプリセットの記憶情報の更新を行わないようにすることで前述した課題を解決することができる。
【図面の簡単な説明】
【００４４】
【図１】本発明の構成を示すブロック図である。
【図２】プリセット機能の記憶、実行の概略フローチャートである。
【図３】各焦点距離におけるフォーカスレンズの合焦位置の軌跡を示す図である。
【図４】本発明における軌跡追従動作の一例を示す説明図である。
【図５】記憶軌跡の本数が８本の場合の例を示す図である。
【図６】プリセット記憶後、ズーム位置及びフォーカス位置が変わっている場合にプリセット実行操作を行う例を示す図である。
【図７】プリセット実行のフローチャートである。
【図８】従来例であるズームレンズを備えたデジタルカメラのブロック図である。
【図９】従来例のフォーカスプリセット機能のフローチャートである。
【符号の説明】
【００４５】
１  リアフォーカス・ズームレンズ
２  光電変換素子（ＣＣＤ）
３  絞り
４  絞り駆動手段
５  絞り及びレンズ位置検出手段
６  検出回路
７  制御回路
８，９  レンズ駆動手段（ステップモータ）
１０，１１  モータドライバ
１２  アンプ
１３  プロセス回路
１４  ＡＦ手段
１５  プリセット記憶スイッチ
１６  プリセット実行スイッチ
【図１】
2006064842.tif 000003
【図２】
2006064842.tif 000004
【図３】
2006064842.tif 000005
【図４】
2006064842.tif 000006
【図５】
2006064842.tif 000007
【図６】
2006064842.tif 000008
【図７】
2006064842.tif 000009
【図８】
2006064842.tif 000010
【図９】
2006064842.tif 000011